(57)【要約】【課題】  畜舎内で餌育している家畜、特に牛の排泄物の搬出作業を解消するために行われている醗酵処理において、醗酵をより旺盛にして搬出作業を皆無としようとするものである。【解決手段】  畜舎の放牧する土間の構成を、よくかき混ぜて空気を混入しやわらかな客土を敷設した客土層上に、堆肥に米ぬかと糖分とを混合して成る醗酵層を敷設して成り、同醗酵層を耕起して好気性醗酵促進した後、放牧して排泄物とともに醗酵層を耕起することにより問題を解決しようとする。【選択図】図２
2008022792.tif 000002
【特許請求の範囲】
【請求項１】
空気が混入されやわらかい客土層上に、堆肥と米ぬかと糖分を混和した好気性醗酵層を積層敷設して成る土間を設けることにより、好気性醗酵を図ることを特徴とする畜舎。
【請求項２】
屋根に透光性材を用い、屋内の並立する左右両側支柱とその中間の中央の支柱間に飼育家畜の高さでロープを張り渡し、所要の長さで上記家畜に取り付けたロープの他端を前記張り渡しロープに移動自由に取り付け、請求項１記載の土間を敷設して成る畜舎。
【発明の詳細な説明】
【技術分野】
【０００１】
本発明は、家畜の糞尿処理を容易にした畜舎にかかわり、詳しくは、平成16年11月施行「家畜排泄物の管理の適正化及び利用の促進に関する法律」の目的達成に沿う家畜排泄物、特に牛舎における糞尿処理に関する。
【背景技術】
【０００２】
家畜の餌育舎（以下、牛舎という。）の糞尿処理は餌育者にとって過重な負担となっている。牛舎の上記処理は人手で毎日行われ舎外へ排出している。この作業を微生物を活用することにより皆無としようとする試みがある。その先行技術に特開2003−219743（特許文献１）が公開されている。それによると、「牛舎の床を土のままにし、屋根を透光性の高い素材にし、排泄物をトラクターで耕し、好気的醗酵を促進する。」ことが（0004）に記されている。
この技術は、透光状態の床土にまかれた排泄物を耕し、好気的醗酵により排泄物を分解して排出作業を皆無としようとするが、トラクターの耕起による空気の混合と陽光の付与を図っても排泄物の好気的醗酵には日時を必要とする。さらに、床土に尿の浸透による環境への悪影響は避けられない等の問題がある。
【０００３】
また、特開2002−125500（特許文献２）の公開技術によると、（0008）及び（0012）に「牛舎内の牛の休息場に最高積載高0.8〜1.8ｍの敷料を載積して醗酵床とし同敷料をシャベルローダ等で切り返し、……敷料の醗酵を促進する」ことが記されているが、特許文献１の場合と同様の問題がある。
【特許文献１】特開２００３−２１９７４３
【特許文献２】特開２００２−１２５５００
【発明の開示】
【発明が解決しようとする課題】
【０００４】
よく撹拌し小石を除いたやわらかい客土層上に、糞尿の堆肥に米ぬか及び糖分を混和した醗酵層を重層し、同醗酵層を繰り返し耕起することにより好気性菌による醗酵を促し、醗酵の熟成後、同醗酵層上で飼育することにより、排泄物の処理手数を皆無としようとする。
【０００５】
上記目的解決のための牛舎は、屋根を透光性とし、前記醗酵層を牛を飼育しつつトラクターで耕起して好気性菌による醗酵を促進させようとする。
【０００６】
上記解決しようとする課題の基本は、特許文献１、特許文献２の問題点の醗酵の完熟速度を、前記客土を醗酵をすすめやすくする環境を作る醗酵温床とすることにより解決しようとするものである。
【課題を解決するための手段】
【０００７】
屋根及び周壁に透光性材を用いた牛舎の土間は小石を除いた土を撹拌して空気を混入し敷きつめたやわらかい客土層上に、堆肥に米ぬか及び糖分を混和した醗酵層を重層し、同醗酵層を繰り返し耕起して成り、牛舎はさらに、両側の柱間に牛の高さに張り渡したロープに、所要長さで牛にとりつけたロープの他端を移動自由にとりつけて成り、前記醗酵層の耕起時に牛が移動して耕起を妨げず耕起による醗酵を促す。
【０００８】
本発明における上記醗酵は客土層がその上層の醗酵層の水分と温度の影響により、また、やわらかく空気を含んだ土であるため、元から存在する好気性菌が常に増殖して上層の醗酵層の醗酵を助長する。すなわち、醗酵の温床となり、醗酵が従来のものより強大となる特徴がある。
これにより、排泄物の搬出作業を解消し課題解決の目的を達成する。
【発明の効果】
【０００９】
本発明は、牛舎の土間をコンクリート製とすることなく、客土層と醗酵層との重なった２層とし、その２層上で牛を移動可能状態で飼育し、上記醗酵層を排泄物とともに耕起するため、好気性菌による醗酵が旺盛となり、醗酵層の温度は40〜50℃になり、排尿は水蒸気となり、醗酵物は粉状となり、牛舎は寒冷期に暖房を必要としないで飼育できるとともに排泄物の搬出を要しない効果ある。
【実施例１】
【００１０】
本発明牛舎の実施例を図によって説明すると、図１は牛舎の長手方向の一部を示す平面図、図２は同上の正面図とする。牛舎は支柱１を並立して屋根材２を支え同屋根２上を透明性フィルム３で被覆し、周壁も同上フィルム３で被覆するのが望ましい。両側には通路４が設けられ給餌料樋が設けられる。
両側と中央に並ぶ支柱１は、中央の柱１と左右側方の柱１とのそれぞれの間隔は５ｍ、前後の支柱１間は2.5ｍである。左右側方の支柱1から中央の柱１間には長いロープ５が成牛の頭より1.5ｍの高さに張り渡され、ロープ５には長さ1.5ｍのつなぎ用ロープ６の一端が輪環により摺動自由に取り付けられ、同短尺のロープ６の他端は牛の首或いは角に取り付けられる。
【００１１】
牛舎内の土間は、小石を除いてよくかきまぜやわらかく客土を厚さ50cmに堆積した客土層８上に、牛の糞尿の堆積に米ぬか及び蜂蜜を混和した醗酵層７を厚さ30cmに堆積して成っている。
【００１２】
醗酵層７は耕起用のトラクターで日数をかけて耕起し、醗酵を促し好気性菌を充分に増殖させた上で、醗酵層７上に牛を繋留する。
【００１３】
つなぎ用ロープ６につながれた牛は上記の構成によれば、左右側方柱１と中央柱１間の間隔５ｍと、同間隔５ｍに張り渡された長いロープ５にそって同ロープ５をくぐりロープ６の1.5ｍを前後して３ｍを移動自在となる。各長いロープ５につながれた各牛は左右５ｍ、前後３ｍの範囲を移動し相互接触しないで飼料摂取ができる。
【００１４】
生後間もない幼牛は、舎内の行動を自由として長いロープ５につながれた母牛から授乳を受けるようにすることができる。
【００１５】
舎内につながれた牛の排泄は醗酵層上になされる。そこで、長いロープ５より高さが低く耕起幅が５ｍの３分の１程度のトラクターで醗酵層を耕起してゆく。つながれた牛は同トラクターを避けて一方によるので耕起を妨げない.
【００１６】
醗酵層７は透明性フィルム３を透過する陽光と耕起による空気の混和とにより好気性醗酵菌の増殖を受けて醗酵し、好気性菌の温床となっている客土層８からの同上菌の補給を受けて旺盛に醗酵する。そのために表面温度は40〜50℃に少なくとも達し、排尿等の水分は蒸発し耕起中に白い湯気となり蒸散してゆく。
排泄物は熱のため水分を失うことと醗酵作用により粉状となり耕起された醗酵層に混和される。
【００１７】
客土層８は醗酵層７より厚いこと、排泄物の水分は醗酵層７から多くは蒸散していることにより排泄物の流入がほとんどみられず、流入があっても好気性菌の存在によって分解して外部へ流出させることがない。また、耕起を必ずしもする必要がない。
【図面の簡単な説明】
【００１８】
【図１】本発明牛舎の一部を示す平面図。
【図２】図１の正面図。
【符号の説明】
【００１９】
１：支柱
２：屋根材
３：透明性フィルム
４：通路
５：長いロープ
６：つなぎ用ロープ
７：醗酵層
８：客土層
【図１】
2008022792.tif 000003
【図２】
2008022792.tif 000004